(57)【要約】【課題】手持ちであっても姿勢をユーザが容易に維持することができる照明装置、制御方法、並びにプログラムを提供する。【解決手段】発光部を有するレシーバーストロボ３００−２は、ユーザにより記憶ボタンが押下された場合に、発光部の発光照射方向及び高さからなる方向情報を取得・記憶し、その後、所定時間間隔ごとに新たに方向情報を第２の方向情報として取得し、第１及び第２の方向情報について、その同時表示及びその差異の表示の少なくとも一方を表示部３１３で行う。【選択図】図３
2020181019.tif 000002
【特許請求の範囲】
【請求項１】
発光部を有する照明装置であって、
ユーザより記憶指示を受け付けた場合に、前記発光部の発光照射方向及び高さからなる方向情報を第１の方向情報として取得・記憶する第１の取得手段と、
前記第１の取得手段により前記第１の方向情報を取得・記憶した後、所定時間間隔ごとに新たに前記方向情報を第２の方向情報として取得する第２の取得手段と、
前記第１及び第２の方向情報について、その同時表示及びその差異の表示の少なくとも一方を行う表示手段とを備えることを特徴とする照明装置。
【請求項２】
前記第１及び第２の取得手段は、姿勢検出回路、高さセンサ、電子コンパス、及びＧＰＳの少なくとも１つの出力に基づき前記方向情報を取得することを特徴とする請求項１記載の照明装置。
【請求項３】
前記第１の及び第２の方向情報のズレ量の許容範囲である方向ズレ許容範囲を決定する決定手段を更に備え、
前記表示手段は、前記決定された方向ズレ許容範囲をさらに表示することを特徴とする請求項１又は２記載の照明装置。
【請求項４】
前記照明装置の配光特性を示す情報である配光角情報を記憶する第２の記憶手段を更に備え、
前記決定手段は、前記方向ズレ許容範囲を、前記配光角情報と、前記第１の方向情報とから決定することを特徴とする請求項３記載の照明装置。
【請求項５】
前記決定手段は、
前記配光角情報において上下左右で前記発光部の配光特性が異なることが示されている場合、前記配光特性に応じて前記方向ズレ許容範囲を上下、左右それぞれについて決定し、
前記配光角情報において上下左右で前記発光部の配光特性が同じであることが示されている場合、前記方向ズレ許容範囲を上下、左右それぞれについて同一とすることを特徴とする請求項４記載の照明装置。
【請求項６】
前記第２の方向情報が前記方向ズレ許容範囲から外れた場合、ユーザに対しその旨を示す警告を行う警告手段を更に備えることを特徴とする請求項３乃至５のいずれか１項に記載の照明装置。
【請求項７】
前記警告手段は、前記表示手段により前記警告を表示することを特徴とする請求項６記載の照明装置。
【請求項８】
前記警告手段は、前記警告としてブザーを鳴らすブザー装置であることを特徴とする請求項６記載の照明装置。
【請求項９】
前記発光部による発光シミュレーションに用いられるモデリングランプを更に備え、
前記警告手段は、前記モデリングランプの点灯状態を変えて前記警告を行うことを特徴とする請求項６記載の照明装置。
【請求項１０】
カメラ本体と通信を行う第１の通信部を更に備え、
前記警告手段は、前記発光部の発光状態を、前記カメラ本体より発光命令を前記第１の通信部で受信したときの発光状態に戻して前記警告を行うことを特徴とする請求項６記載の照明装置。
【請求項１１】
前記表示手段は、前記照明装置の充電が完了した場合に充電完了の旨をさらに表示し、
前記警告手段は、前記照明装置の充電が完了しても前記表示手段に前記充電完了の旨の表示をさせないようにして前記警告を行うことを特徴とする請求項６記載の照明装置。
【請求項１２】
カメラ本体と通信を行う第１の通信部と、
前記警告手段により警告を行う際、前記第１の通信部で前記カメラ本体にその旨を通知する第１の通知手段と、を更に備え、
前記カメラ本体は、前記第１の通知手段による通知があった場合、警告表示を行うことを特徴とすることを特徴とする請求項６記載の照明装置。
【請求項１３】
前記カメラ本体には、前記照明装置と第２の通信部で通信を行なう、通信装置がクリップオンで装着されており、
前記第１の通信部は、前記第２の通信部により通信する前記通信装置を介して前記カメラ本体と通信を行うことを特徴とする請求項１０又は１２記載の照明装置。
【請求項１４】
前記第２の方向情報が前記方向ズレ許容範囲から外れた場合、前記第２の通信部で前記通信装置にその旨を通知する第２の通知手段を更に備え、
前記通信装置は、前記第２の通知手段による通知があった場合、警告表示を行うことを特徴とする請求項１３記載の照明装置。
【請求項１５】
ユーザ指示に応じて前記カメラ本体に対して撮影指示を前記第１の通信部で送信する送信手段と、
前記送信手段により前記撮影指示を前記カメラ本体に対して送信する毎に、順次、前記方向情報を取得・記憶するように前記第１の取得手段を制御する制御手段と、
前記第１の取得手段により順次、取得・記憶された方向情報の夫々を特定する情報をユーザ選択可能に一覧で表示する一覧表示手段とを更に備え、
前記一覧で表示された方向情報の１つがユーザ選択された場合、前記第１の取得手段は、前記ユーザ選択された方向情報を前記第１の方向情報に設定することを特徴とする請求項１０，１２、１３，１４のいずれか１項に記載の照明装置。
【請求項１６】
前記第１及び第２の取得手段を有する他の照明装置と通信を行う第３の通信部と、
ユーザ指示に応じて、前記第１の方向情報を前記第３の通信部で前記他の照明装置に転送する転送手段と、を更に備えることを特徴とする請求項１乃至１５のいずれか１項に記載の照明装置。
【請求項１７】
前記転送手段は、前記第１の方向情報と共に前記照明装置の機種情報及び機種設定情報を転送し、
前記他の照明装置は、前記転送された機種情報と自機の機種情報の差を加味して、前記転送された第１の方向情報及び自機の機種設定情報を変更して記憶することを特徴とする請求項１６記載の照明装置。
【請求項１８】
発光部を有する照明装置の制御方法であって、
ユーザより記憶指示を受け付けた場合に、前記発光部の発光照射方向及び高さからなる方向情報を第１の方向情報として取得・記憶する第１の取得ステップと、
前記第１の取得ステップにおいて前記第１の方向情報を取得・記憶した後、所定時間間隔ごとに新たに前記方向情報を第２の方向情報として取得する第２の取得ステップと、
前記第１及び第２の方向情報について、その同時表示及びその差異の表示の少なくとも一方を行う表示ステップとを有することを特徴とする制御方法。
【請求項１９】
請求項１８記載の制御方法を実行することを特徴とするプログラム。
【発明の詳細な説明】
【技術分野】
【０００１】
本発明は、照明装置、制御方法、並びにプログラムに関し、特にその発光照射方向を検出することが可能な照明装置、制御方法、並びにプログラムに関する。
【背景技術】
【０００２】
従来、電波などの無線通信を用いて、複数の照明装置（以下、ストロボという、）を同期させて発光させながら撮影を行う多灯撮影という技術が知られている。
【０００３】
また、撮影装置のアクセサリシューに取り付けられ、撮影装置の姿勢、すなわち横位置撮影か縦位置撮影かに応じてユーザが所望する予め記憶された発光照射方向を保持するように発光部を回転するストロボが知られている（例えば特許文献１参照）。
【先行技術文献】
【特許文献】
【０００４】
【特許文献１】特開２０１７−２１５５２８号公報
【発明の概要】
【発明が解決しようとする課題】
【０００５】
しかしながら、多灯撮影に用いる複数のストロボのうち、アシスタントが撮影装置から離れた位置において手持ちで維持するストロボ（以下レシーバーストロボという）が存在する場合がある。このような場合、アシスタントの立ち位置についてはテープ等で印をつける等の対応が可能である。一方、アシスタントが手持ちで維持するレシーバーストロボが特許文献１に記載のストロボであったとしても、指標等がないため発光部の高さや発光照射方向を維持することが非常に難しい。また、撮影が長時間に及び、休憩等でアシスタントが一旦レシーバーストロボを置いた場合、その後、再度撮影を開始する際にそのレシーバーストロボを元の姿勢に戻すといったことも非常に難しい。
【０００６】
また、多灯撮影の際、アシスタントに特許文献１に記載のストロボをレシーバーストロボとして保持させ、その光が被写体に直射するように撮影する場合がある。かかる場合、レシーバーストロボの高さや方位が変わると、被写体に直射するレシーバーストロボの光の入射角度が変化し、所望の光線を得られないという問題が発生する。この結果、被写体へのレシーバーストロボの光の当たり方が影の出方などに影響を与え、撮影者が所望する撮影結果が得られなくなる場合がある。
【０００７】
そこで、本発明の目的は、手持ちであっても姿勢をユーザが容易に維持することができる照明装置、制御方法、並びにプログラムを提供することである。
【課題を解決するための手段】
【０００８】
本発明の請求項１に係る照明装置は、発光部を有する照明装置であって、ユーザより記憶指示を受け付けた場合に、前記発光部の発光照射方向及び高さからなる方向情報を第１の方向情報として取得・記憶する第１の取得手段と、前記第１の取得手段により前記第１の方向情報を取得・記憶した後、所定時間間隔ごとに新たに前記方向情報を第２の方向情報として取得する第２の取得手段と、前記第１及び第２の方向情報について、その同時表示及びその差異の表示の少なくとも一方を行う表示手段とを備えることを特徴とする。
【発明の効果】
【０００９】
本発明によれば、手持ちであっても照明装置の姿勢をユーザが容易に維持することができる。
【図面の簡単な説明】
【００１０】
【図１】本発明の実施例１に係る照明装置を含むカメラストロボシステムの概略構成を示すブロック図である。
【図２】図１のカメラストロボシステムの概略断面を示す図である。
【図３】本発明の実施例１に係る多灯撮影時におけるレシーバーストロボとしての照明装置の発光照射方向の表示処理のフローチャートである。
【図４】照明装置の配光特性の例を示す図である。
【図５】本発明の実施例１に係る照明装置の発光照射方向の方向ズレ許容範囲のテーブルの例を示す図である。
【図６】図３のステップＳ１０５における、本発明の実施例１に係る照明装置の発光照射方向の状態表示及び警告表示の例を示す図である。
【図７】本発明の実施例１に係るセンダーストロボとしての照明装置の警告表示の例を説明するための図である。
【図８】本発明の実施例２に係る多灯撮影時におけるレシーバーストロボとしての照明装置の発光照射方向の表示処理のフローチャートである。
【図９】本発明の実施例３に係る多灯撮影時におけるレシーバーストロボとしての照明装置の発光照射方向の表示処理のフローチャートである。
【図１０】図９のステップＳ３０４〜Ｓ３０５までの流れを説明するための図である。
【発明を実施するための形態】
【００１１】
以下に、本発明の好ましい実施の形態を、添付の図面に基づいて詳細に説明する。
【００１２】
（実施例１）
以下、図１、図２を参照して、本発明の実施例１に係る照明装置３００を含むカメラストロボシステムの概略構成を説明する。尚、図１、図２では、カメラ本体１００にクリップオンで装着される照明装置３００が示されているが、本実施例のカメラシステムには、カメラ本体１００から離れた位置にある照明装置３００と同一構成を有するレシーバーストロボ３００−２も含まれる。レシーバーストロボ３００−２は、カメラ本体１００にクリップオンされていないがセンダーストロボ３００−１と電波通信により接続される。
【００１３】
以下、カメラ本体１００にクリップオンで装着される照明装置３００をセンダーストロボ３００−１といい、センダーストロボ３００−１及びレシーバーストロボ３００−２の総称を照明装置３００という。
【００１４】
図１のブロック図に示す通り、カメラストロボシステムは、撮像装置であるカメラ本体１００、カメラ本体１００に着脱可能に装着されたレンズユニット２００、カメラ本体１００に着脱可能に装着された照明装置３００を含む。
【００１５】
なお、図１、図２において同一のものは同じ符号をつけている。
【００１６】
まず、カメラ本体１００内の構成について説明する。
【００１７】
ＣＣＰＵ（以下、カメラマイコン）１０１は、カメラ本体１００の各部を制御する。
【００１８】
カメラマイコン１０１は、例えばＣＰＵ、ＲＯＭ、ＲＡＭ、入出力制御回路（Ｉ／Ｏコントロール回路）、マルチプレクサ、タイマー回路、ＥＥＰＲＯＭ、Ａ／Ｄ、Ｄ／Ａコンバータ等を含むマイコン内蔵ワンチップＩＣ回路構成となっている。
【００１９】
そして、カメラマイコン１０１は、カメラシステムの制御をソフトウェアで行えるもので、各種の条件判定を行う。
【００２０】
撮像素子１０２は、赤外カットフィルタやローパスフィルタ等を含むＣＣＤ、ＣＭＯＳ等の撮像素子であり、後述のレンズ群２０２によって撮影時に被写体像が結像される。
【００２１】
シャッター１０３は撮像素子１０２を遮光する位置と、撮像素子１０２を露光する位置とに移動する。
【００２２】
図２に示すように、カメラストロボシステムにおいて、主ミラー（ハーフミラー）１０４は、ミラーダウン位置とミラーアップ位置とに移動する。ここで、ミラーダウン位置とは、レンズ群２０２より入射する光の一部を主ミラー１０４が反射し１０５のピント板に結像させる位置を指す。また、ミラーアップ位置とは、レンズ群２０２より入射する光の撮像素子１０２への撮影光路（以下、単に光路という）内から主ミラー１０４が退避する位置を指す。
【００２３】
また、ピント板１０５（図２）に結像された被写体像は不図示の光学ファインダーを介してユーザにより確認される。
【００２４】
測光回路（ＡＥ回路）１０６は、その内部に備える測測光センサー（不図示）の結像面を複数の領域に分割しそれぞれの領域で測光を行う。測光回路１０６内の測光センサには、後述するペンタプリズム１１４を介してピント板１０５に結像された被写体像が導かれる。
【００２５】
焦点検出回路（ＡＦ回路）１０７は、その内部に複数点の測距ポイントを有する測距センサー（不図示）を備え、各測距点のデフォーカス量などの焦点情報をカメラマイコン１０１に出力する。
【００２６】
ゲイン切換回路１０８は、撮像素子１０２から出力されるアナログ信号を増幅させる。ゲイン切換回路１０８におけるゲイン（増幅率）の切り換えは、撮影の条件やユーザの操作等に応じてカメラマイコン１０１により行われる。
【００２７】
Ａ／Ｄ変換器１０９は、ゲイン切換回路１０８で増幅された撮像素子１０２からのアナログ信号をデジタル信号に変換する。
【００２８】
タイミングジェネレータ（ＴＧ）１１０は、増幅された撮像素子１０２からのアナログ信号のＡ／Ｄ変換器１０９への入力とＡ／Ｄ変換器１０９におけるその入力されたアナログ信号のデジタル信号への変換タイミングを同期させる。
【００２９】
信号処理回路１１１は、Ａ／Ｄ変換器１０９でデジタル信号に変換された画像データに対して信号処理を行う。
【００３０】
通信ラインＳＣは、カメラ本体１００、レンズユニット２００、及び照明装置３００とのインタフェースの信号ラインである。例えば、カメラマイコン１０１をホストとしてデータの交換やコマンドの伝達などの情報の通信を、後述するレンズユニット２００のレンズマイコン２０１及び照明装置３００のストロボマイコン３１０と相互に行う。
【００３１】
通信ラインＳＣの一例として、図１の端子１２０、端子１３０に３端子式のシリアル通信の例を示す。
【００３２】
端子１２０は、カメラマイコン１０１と直接接続される、レンズユニット２００を着脱する端子である。端子１２０は、カメラ本体１００とレンズユニット２００の通信の同期をとるためのＳＣＬＫ＿Ｌ端子、レンズユニット２００にデータを送信するＭＯＳＩ＿Ｌ端子、レンズユニット２００から送信されたデータを受信するＭＩＳＯ＿Ｌ端子を含む。また、カメラ本体１００とレンズユニット２００との両方をつなぐＧＮＤ端子も含む。
【００３３】
端子１３０は、カメラインターフェース回路１００１を介してカメラマイコン１０１に接続される、カメラ本体１００と照明装置３００やカメラアクセサリ装置（不図示）を着脱するアクセサリシューである。端子１３０は、カメラ本体１００と照明装置３００の通信の同期をとるためのＳＣＬＫ＿Ｓ端子、カメラ本体１００から照明装置３００にデータを送信するＭＯＳＩ＿Ｓ端子、照明装置３００から送信されたデータを受信するＭＩＳＯ＿Ｓ端子を含む。また、端子１３０はカメラ本体１００と照明装置３００との両方をつなぐＧＮＤ端子も含む。
【００３４】
カメラインターフェース回路１００１は、カメラマイコン１０１とストロボインターフェース回路３０００に端子１３０を介して通信を行う。また、端子１３０はカメラ本体１００と照明装置３００との両方をつなぐＧＮＤ端子も含む。
【００３５】
カメラマイコン１０１から後述のストロボマイコン３１０にデータを送信する時は、ＳＣＬＫ＿Ｓ端子の８ビットのクロックに同期してＭＯＳＩ＿Ｓ端子より各ビットを０，１とすることでデータをシリアルで送信する。
【００３６】
また、ストロボマイコン３１０からカメラマイコン１０１にデータを送信する時は、ＳＣＬＫ＿Ｓ端子の８ビットのクロックに同期してＭＩＳＯ＿Ｓ端子より各ビットを０，１とするデータをシリアル受信する。
【００３７】
８ビット（１バイト）通信でＳＣＬＫ＿Ｓ信号の立ち上がりで信号の読み書きを行っているが、この８ビット通信をコマンド、コマンドデータ、データと複数回連続で送信を行う。
【００３８】
入力部１１２は、電源スイッチ、レリーズスイッチ、設定ボタンなどの操作部を含んでいて、カメラマイコン１０１は、入力部１１２への入力に応じて各種処理を実行する。
【００３９】
入力部１１２のレリーズスイッチが１段階操作（半押し）されると「ＳＷ１」がＯＮとなり、カメラマイコン１０１は焦点調節や測光などの撮影準備動作を開始させる。また、レリーズスイッチが２段階操作（全押し）されると「ＳＷ２」がＯＮとなり、カメラマイコン１０１は露光や現像処理などの撮影動作を開始させる。
【００４０】
また、入力部１１２の設定ボタンなどを操作することで、撮影モードの設定や、照明装置３００、すなわちセンダーストロボ３００−１及びレシーバーストロボ３００−２の各種設定を行うこともできる。
【００４１】
表示部１１３は、液晶装置や発光素子を有し、これらを用いて各種設定されたモードやその他の撮影情報などを表示する。
【００４２】
図２に示すペンタプリズム１１４は、ピント板１０５に結像する被写体像を測光回路１０６内の測光センサ及び不図示の光学ファインダーに導く。
【００４３】
図２に示すサブミラー１１５は、レンズユニット２００の後述するレンズ群２０２より入射し主ミラー１０４を透過した光を焦点検出回路１０７の測距センサへ導く。
【００４４】
姿勢検出回路１４０は、姿勢差を検出する回路であり、水平方向の姿勢差を検出する姿勢Ｈ検出部１４０ａ、垂直方向の姿勢差を検出する姿勢Ｖ検出部１４０ｂ、及び前後方向（Ｚ方向）の姿勢差を検出する姿勢Ｚ検出部１４０ｃを備える。
【００４５】
姿勢検出回路１４０には、例えば、角速度センサやジャイロセンサーが用いられる。姿勢検出回路１４０により検出された各方向の姿勢差に関する姿勢情報はカメラマイコン１０１に入力される。
【００４６】
次に、レンズユニット２００内の構成と動作について説明する。
【００４７】
ＬＰＵ（以下、レンズマイコン）２０１はマイクロコンピュータであって、レンズユニット２００の各部を制御する。
【００４８】
レンズマイコン２０１は、例えばＣＰＵ、ＲＯＭ、ＲＡＭ、入出力制御回路（Ｉ／Ｏコントロール回路）、マルチプレクサ、タイマー回路、ＥＥＰＲＯＭ、Ａ／Ｄ、Ｄ／Ａコンバータ等を含むマイコン内蔵ワンチップＩＣ回路構成となっている。
【００４９】
レンズ群２０２は、フォーカスレンズやズームレンズなどを含む複数枚のレンズで構成されている。なお、レンズ群２０２にはズームレンズは含まれなくてもよい。
【００５０】
レンズ駆動部２０３は、レンズ群２０２に含まれるレンズを移動させる駆動系であり、レンズ群２０２の駆動量は、カメラ本体１００内にある焦点検出回路１０７の出力に基づいてカメラマイコン１０１内にて演算される。カメラマイコン１０１内にて演算された駆動量は、カメラマイコン１０１からレンズマイコン２０１に送信される。
【００５１】
エンコーダ２０４は、レンズ群２０２の位置を検出し駆動情報を出力する。エンコーダ２０４からの駆動情報に基づき、カメラマイコン１０１内にて演算された駆動量分だけレンズ駆動部２０３がレンズ群２０２を移動させて焦点調節を行う。
【００５２】
絞り２０５は、通過する光量を調節する絞りであって、絞り制御回路２０６を介してレンズマイコン２０１により制御される。
【００５３】
次に、照明装置３００の構成について説明する。
【００５４】
照明装置３００は、カメラ本体１００に着脱可能に装着される本体部３００ａと、本体部３００ａに対して上下方向及び左右方向に回動可能に保持される可動部３００ｂにより構成される。
【００５５】
ＦＰＵ（以下、ストロボマイコン）３１０は、マイクロコンピュータであって、照明装置３００の各部を制御する。
【００５６】
ストロボマイコン３１０は、例えばＣＰＵ、ＲＯＭ、ＲＡＭ、入出力制御回路（Ｉ／Ｏコントロール回路）、マルチプレクサ、タイマー回路、ＥＥＰＲＯＭ、Ａ／Ｄ、Ｄ／Ａコンバータ等を含むマイコン内蔵ワンチップＩＣ回路構成となっている。
【００５７】
ストロボインターフェース回路３０００は、カメラマイコン１０１と端子１３０を介して通信を行う。
【００５８】
電池３０１は、照明装置３００の電源（ＶＢＡＴ）として機能する。
【００５９】
昇圧回路ブロック３０２は、昇圧部３０２ａ、電圧検出に用いる抵抗３０２ｂ，３０２ｃ、及びメインコンデンサ３０２ｄで構成される。昇圧部３０２ａは、電池３０１の電圧を数百Ｖに昇圧し、メインコンデンサ３０２ｄに発光のための電気エネルギーを充電させる。
【００６０】
メインコンデンサ３０２ｄの充電電圧は抵抗３０２ｂ，３０２ｃにより分圧され、分圧された電圧はストロボマイコン３１０のＡ／Ｄ変換端子ＭＣＶ＿ＡＤに入力される。
【００６１】
トリガー回路３０３は、後述の放電管３０５を励起させためのパルス電圧を放電管３０５に印加する。
【００６２】
発光制御回路３０４は、放電管３０５の発光の開始及び停止を制御する。
【００６３】
放電管３０５は、トリガー回路３０３から印加される数ＫＶのパルス電圧を受け励起してメインコンデンサ３０２ｄに充電された電気エネルギーを用いて発光する。
【００６４】
積分回路３０９は、後述のフォトダイオード３１４の受光電流を積分し、その出力を後述するコンパレータ３１５の反転入力端子とストロボマイコン３１０のＡ／Ｄコンバータ端子ＩＮＴ＿ＡＤに出力する。
【００６５】
コンパレータ３１５の非反転入力端子は、ストロボマイコン３１０内のＤ／Ａコンバータ端子ＩＮＴ＿ＤＡＣに接続され、コンパレータ３１５の出力は後述するＡＮＤゲート３１１の入力端子に接続される。
【００６６】
ＡＮＤゲート３１１のもう一方の入力は、ストロボマイコン３１０の発光制御端子ＦＬ＿ＳＴＡＲＴと接続され、ＡＮＤゲート３１１の出力は発光制御回路３０４に入力される。
【００６７】
フォトダイオード３１４は、放電管３０５から発せられる光を受光するセンサであり、直接またはグラスファイバーなどを介して放電管３０５から発せられる光を受光する。
【００６８】
反射傘３０６は、放電管３０５から発せられる光を反射させて所定の方向へ導く。
【００６９】
ズーム光学系３０７は、光学パネルなどを含む光学系であって、放電管３０５との相対位置を変更可能に保持されていて、放電管３０５とズーム光学系３０７との相対位置を変更することにより、照明装置３００のガイドナンバー及び照射範囲を変化させる。
【００７０】
照明装置３００の発光部は、主に、上述の放電管３０５、反射傘３０６、ズーム光学系３０７で構成され、発光部の照射範囲は、ズーム光学系３０７の移動により変化し、発光部の照射方向（以下、発光照射方向という）は可動部３００ｂの回動により変化する。
【００７１】
入力部３１２は、電源スイッチ、照明装置３００の動作モードを設定するモード設定スイッチや各種パラメータを設定する設定ボタンなどの操作部を含み、ストロボマイコン３１０は、入力部３１２へのユーザ入力に応じて各種処理を実行する。照明装置３００の調光補正の設定の変更するための操作部も入力部３１２に含まれる。
【００７２】
表示部３１３は、液晶装置や発光素子を有し、これらを用いて照明装置３００の各状態を表示する。例えば、昇圧回路ブロック３０２による照明装置３００（メインコンデンサ３０２ｄ）の充電が完了した際、充電完了の旨が表示部３１３に表示される。また、後述する調光範囲の下限を下回った場合に点滅又は点灯してユーザに警告を行うためのＬＥＤもこの表示部３１３に含まれる。
【００７３】
ズーム駆動回路３３０は、放電管３０５とズーム光学系３０７の相対位置に関する情報をエンコーダなどにより検出するズーム検出部３３０ａと、ズーム光学系３０７を移動させるためのモーターを含むズーム駆動部３３０ｂで構成される。
【００７４】
ズーム光学系３０７の駆動量については、レンズマイコン２０１から出力される焦点距離情報をカメラマイコン１０１を介して取得したストロボマイコン３１０が焦点距離情報に基づいて演算する。また、入力部３１２でズーム光学系３０７の位置がユーザ設定された場合、その位置となるようストロボマイコン３１０はズーム光学系３０７を駆動させる。
【００７５】
姿勢検出回路３６０は、可動部３００ｂの姿勢差を検出する回路であり、水平方向の姿勢差を検出する姿勢Ｈ検出部３６０ａ、垂直方向の姿勢差を検出する姿勢Ｖ検出部３６０ｂ、及び前後方向（Ｚ方向）の姿勢差を検出する姿勢Ｚ検出部３６０ｃを備える。姿勢検出回路３６０には、例えば、加速度センサやジャイロセンサーが用いられる。ストロボマイコン３１０は、後述する図３のステップＳ１０３，Ｓ１０５において、姿勢検出回路３６０からの出力を読み取り、読み取った出力に基づき光軸中心の回転角度を算出する。
【００７６】
高さセンサ３６１は、照明装置３００の発光部の高さを検出するセンサである。本実施例では、高さセンサ３６１は、ｃｍ刻みで高さの検出が可能である。高さセンサ３６１には気圧センサなどが用いられる。ストロボマイコン３１０は、後述する図３のステップＳ１０３，Ｓ１０５において、高さセンサ３６１からの出力を読み取り、読み取った出力に基づき発光部の高さの情報を取得する。
【００７７】
方位検出部３６２は、照明装置３００の発光部の向いている方位を検出する。方位検出部３６２には電子コンパスなどが用いられる。ストロボマイコン３１０は、後述する図３のステップＳ１０３，Ｓ１０５において、方位検出部３６２からの出力を読み取り、読み取った出力に基づき発光照射方向（発光部の上下・左右方向の回転角度）を算出する。
【００７８】
以下、姿勢検出回路３６０からの出力に基づき算出される光軸中心の回転角度の情報、高さセンサ３６１からの出力に基づく発光部の高さの情報、及び方位検出部３６２からの出力に基づき算出される発光照射方向の情報をまとめて方向情報という。
【００７９】
モデリングランプ３６３は、照明装置３００の発光部の発光シミュレーションを実施するために使用するランプであり、ＬＥＤ等で構成される。放電管３０５を用いて発光させた場合と似た配光が得られるように周辺の光学部材が設計されている。
【００８０】
無線ユニット３７０は、公知の無線ユニットであり、ワイヤレス送受信で外部機器との通信を行う。尚、本実施例では、センダーストロボ３００−１とレシーバーストロボ３００−２は夫々の無線ユニット３７０（第２の通信部）を介して通信を行うが、レシーバーストロボ３００−２がカメラ本体１００と通信可能な構成であればこれに限定されない。例えば、レシーバーストロボ３００−２がオフカメラシューコード等を介してカメラ本体１００と有線接続して通信を行うようにしてもよい（第１の通信部）。
【００８１】
ワイドパネル３８０は、照明装置３００の発光部に対してその発光照射方向の前方の位置にあって、発光部の照射範囲を拡大させることのできる光学部材であり、可動部３００ｂから手動で引き出される。
【００８２】
バウンスアダプタ３９０は、発光部の照射範囲を拡大させることのできる光学部材であり、発光部の照射方向前方の位置にかぶせられる。
【００８３】
なおワイドパネル３８０は、被写体方向の発光範囲を拡大する一方、バウンスアダプタ３９０は上下左右に発光範囲を拡散するが、被写体方向へは発光範囲を拡大させない。
【００８４】
以下、図３のフローチャートを参照して、本実施例に係る、レシーバーストロボ３００−２の方向情報の表示処理について説明する。
【００８５】
本処理は、カメラ本体１００、センダーストロボ３００−１、及びレシーバーストロボ３００−２を使用した多灯撮影の際に実行される。尚、カメラ本体１００を操作する撮影者であるユーザとは別に、レシーバーストロボ３００−２の姿勢を手持ちで保持するアシスタントが本実施例では存在する。但し、本処理の後、レシーバーストロボ３００−２がカメラ本体１００からの指示に応じて発光できればよい。すなわち、センダーストロボ３００−１は、レシーバーストロボ３００−２とカメラ本体１００の間の通信接続を確立させるための通信装置としての機能のみを有してもよい。
【００８６】
まず、ユーザによりカメラ本体１００の入力部１１２の電源スイッチがＯＮされると（ステップＳ１０１でＹＥＳ）、カメラマイコン１０１は、自身が備えるＲＡＭやポート（各種端子）の初期化を行う。また、入力部１１２に含まれる設定ボタンの操作状態や予め設定された入力情報に応じて、シャッタースピードの決め方や、絞りの決め方等様々な撮影モードの設定を行う。
【００８７】
その後、ユーザにより、カメラ本体１００、センダーストロボ３００−１、及びレシーバーストロボ３００−２のセッティングが行われると、ステップＳ１０２に進む。ここで、ユーザが行う上記セッティングには、カメラ本体１００、センダーストロボ３００−１の位置の決定や、レシーバーストロボ３００−２とセンダーストロボ３００−１の無線接続の実施が含まれる。また、その後、センダーストロボ３００−１及びレシーバーストロボ３００−２への発光指示を伴う試し撮りを繰り返し、アシスタントにより保持されるレシーバーストロボ３００−２の姿勢を調整することもユーザによる上記セッティングに含まれる。
【００８８】
以下の処理は、レシーバーストロボ３００−２のストロボマイコン３１０（以下、ストロボマイコン３１０−２という）により実行される。
【００８９】
ステップＳ１０２では、ユーザ（又はアシスタント）がレシーバーストロボ３００−２の入力部３１２にある「記憶ボタン」を押下した（ユーザより記憶指示を受け付けた）かどうかストロボマイコン３１０−２が判断する。「記憶ボタン」が押下された場合（ステップＳ１０２でＹＥＳ）、上記セッティングにおいてユーザが調整したレシーバーストロボ３００−２の保持位置における発光照射方向を取得・記憶すべく、ステップＳ１０３へ移行する。
【００９０】
ステップＳ１０３では、ストロボマイコン３１０−２は姿勢検出回路３６０、高さセンサ３６１、及び方位検出部３６２からの出力を読み取り、読み取った出力に基づく方向情報を第１の方向情報として取得・記憶し、ステップＳ１０４へ移行する。
【００９１】
ステップＳ１０４では、ストロボマイコン３１０−２は第１の方向情報に含まれる発光照射方向に応じたレシーバーストロボ３００−２の方向ズレの許容範囲（以下「方向ズレ許容範囲」という）を決定する。その後、ストロボマイコン３１０−２は、第１の方向情報及びこの決定された方向ズレ許容範囲を示す画像を表示部３１３に表示する。
【００９２】
ステップＳ１０５では、ストロボマイコン３１０−２は所定時間間隔ごとに姿勢検出回路３６０、高さセンサ３６１、方位検出部３６２の出力を新たに読み取り、読み取った出力に基づく現在の方向情報を取得する。表示部３１３には、ステップＳ１０４で表示された方向ズレ許容範囲を示す画像にステップＳ１０５で取得した現在の方向情報を示す画像を重畳し、第１及び第２の方向情報の同時表示およびその差異の表示を行う。かかる同時表示及び差異の表示の一方のみを行うようにしてもよい。
【００９３】
図４は、照明装置３００の配光特性の例を示す図である。この配光特性の情報は、配光角情報としてストロボマイコン３１０−２に保持される。
【００９４】
センター（図４中の中央部分０°）に対する光量の落ち量が−１段になる角度が広い配光角４０１が左右の配光角を示し、狭い配光角４０２が上下の配光角を示す。図４に示す通り、上下の配光角４０２の方が、左右の配光角４０１より狭く、また、光量が落ちる角度が左右の配光角４０１より急峻となっている。これは上下に発光照射方向が変化した場合の方が左右に発光照射方向が変化した場合よりも被写体に照射される光量の変化が大きいことを意味する。また、照明装置３００の高さが変化した場合、照明装置３００の発光照射方向、及び光軸中心の回転角度に変化がなくても被写体に照射される光量が大きく変化することを意味する。そのため、本実施例ではストロボマイコン３１０−２は予め図５に示すように、配光角情報に応じた「方向ズレ許容範囲」のテーブルを保持する。図５（ａ）は、配光角情報において、図４に示すように上下左右で照明装置３００の配光特性が異なることが示されている場合に用いられるテーブルである。この場合、上下方向の回転角度のズレ量（以下、「上下ズレ量」という）に応じて、方位、光軸、及び高さの許容範囲が変化する。すなわち、図５（ａ）のテーブルを用いることにより方向ズレ許容範囲が上下、左右それぞれについて決定される。尚、図５において、左右方向の回転角度については「方位」、光軸中心の回転角度については「光軸」と表示している。
【００９５】
尚、配光角情報において、照明装置３００の配光特性が上下左右で同じであることが示されている場合は、「方向ズレ許容範囲」のテーブルとして、上下ズレ量の範囲と方位の許容範囲が同一であるテーブル（図５（ｂ））が用いられる。すなわち、図５（ｂ）のテーブルを用いることにより方向ズレ許容範囲が上下左右それぞれについて同一に決定される。またこの場合、光軸中心に回転しても配光が変わらないため、光軸中心の回転角度の許容範囲は制限無しとなる。
【００９６】
また、ステップＳ１０２で「記憶ボタン」が押下された際のレシーバーストロボ３００−２の姿勢が正位置でなく、すなわち横位置撮影を行う位置から、９０°程度光軸中心に回転した位置、すなわち縦位置撮影を行う位置である場合がある。この場合、図５（ｃ）に示すように、上下ズレ量に関係なく常に高さの許容範囲を一定とするテーブルを使用してもよい。
【００９７】
図６は、図３のステップＳ１０５における、本実施例に係る照明装置の発光照射方向の状態表示及び警告表示の例を示す図である。
【００９８】
図６（ａ）は、ステップＳ１０３で記憶された第１の方向情報と、ステップＳ１０５で取得された現在の方向情報が一致している場合のステップＳ１０５における表示部３１３の表示を示す。
【００９９】
図６（ａ）において、枠６００は、レシーバーストロボ３００−２の表示部３１３の液晶などの画面の枠である。また、太い縦線６０１は、レシーバーストロボ３００−２の上下方向の回転角度の許容範囲を示す。図６（ａ）に示す例では、目盛が１°刻みでふられており±２°の範囲で上下方向の回転が許容されることを示す。また、枠６００の略中央にある円の内部の太い横線６０２は、現在の上下方向の回転角度を示している。太い弧６０３は光軸中心回転角度の許容範囲を示し、枠６００の略中央にある円の外部の太い横線６０４は、現在の光軸中心回転角度を示す。太い縦線６０５は、ステップＳ１０３で記憶された高さからの高さ変化の許容範囲を示し、太い横線６０６は、現在の高さを示している。太い横線６０７は、方位（左右方向の回転角度）の許容範囲を示し、太い縦線６０８は現在向いている方位（左右方向の回転角度）を示している。検出値６０９ａ，６１０ａ，６１１ａ，６１２ａはそれぞれ、ステップＳ１０５で取得された、現在の上下方向の回転角度、光軸中心回転角度、方位、高さの値を示す。
【０１００】
図６（ｂ）は、ステップＳ１０５で取得した方向情報が、ステップＳ１０３で記憶された第１の方向情報に対して、発光照射方向のみ上に１°回転している場合のステップＳ１０５における表示部３１３の表示を示す。
【０１０１】
検出値６０９ｂは、ステップＳ１０５で取得された現在の上下方向の回転角度の値であり、図６（ａ）の検出値６０９ａに示す−３０°から−２９°に数値が更新されている。細線６１３は、ステップＳ１０３で記憶された上下の発光照射方向を示しており、現在の上下方向の回転角度を示す太い横線６０２よりも１目盛分（１°）下になっている。よって、現在の上下方向の回転角度が、１°だけ記憶した発光照射方向よりも上を向いていることをユーザはこの表示により確認できる。
【０１０２】
また、図５（ａ）の「方向ズレ許容範囲」テーブルから上下回転角度のズレ量が＋１°の場合は高さの許容範囲が５ｃｍになるため、図６（ａ）の太い縦線６０５にくらべ、高さの許容範囲を示す太線６１４の長さは短くなっている。
【０１０３】
尚、ステップＳ１０５で取得された現在の発光照射方向が、ステップＳ１０３で記憶された発光照射方向から右（又は左）に回転している場合がある。この場合、図６において不図示だが、太い縦線６０８の位置がその回転方向に応じてずれ、ステップＳ１０３で記憶された左右の発光照射方向を示す細線が図６（ａ）の縦線６０８の近傍に表示される。
【０１０４】
図６（ｃ）は、ステップＳ１０５で取得した方向情報が、ステップＳ１０３で記憶された第１の方向情報に対して、発光照射方向のみ上に２°回転している場合のステップＳ１０５における表示部３１３の表示を示す。
【０１０５】
検出値６０９ｃは、ステップＳ１０５で取得された現在の上下方向の回転角度の値であり、図６（ａ）の検出値６０９ａに示す−３０°から−２８°に数値が更新されている。また、細線６１３は、現在の上下方向の回転角度を示す太い横線６０２よりも２目盛分（２°）下になっている。
【０１０６】
図６（ｂ）の場合と同様に、図５（ａ）の「方向ズレ許容範囲」テーブルから上下回転角度のズレ量が＋２°の場合は高さの許容範囲が０ｃｍになるため、高さの許容範囲を示す太線６１５は記憶した高さのみを許容範囲として示している。
【０１０７】
図３に戻り、ステップＳ１０６ではストロボマイコン３１０−２はステップＳ１０５で取得された方向情報がステップＳ１０４で決定した「方向ズレ許容範囲」内かどうかを判断する。ストロボマイコン３１０−２が「方向ズレ許容範囲」外であると判断した場合、ステップＳ１０７へ移行する。
【０１０８】
ステップＳ１０７ではストロボマイコン３１０−２は表示部３１３に警告表示を開始する。図６（ｄ）にこの場合の警告表示の例を示す。尚、図６（ｄ）は、ステップＳ１０５で取得された現在の発光照射方向が、ステップＳ１０３で記憶した発光照射方向から上に３°回転している場合のステップＳ１０５における表示部３１３の表示を示す。図６（ｄ）に示す様に、現在の上下方向の回転角度を示す太い横線６０２が許容範囲を示す太い縦線６０１からはみ出た場合、太い横線６０２の近傍に吹き出し表示６１６を表示し、上下方向の回転角度が許容範囲を超えていることをアシスタントに警告する。
【０１０９】
尚、「方向ズレ許容範囲」外になった場合のレシーバーストロボ３００−２における警告の方法は吹き出し表示６１６を表示するという上記方法に限定されない。例えば、表示部３１３に含まれるＬＥＤを点滅又は点灯させてもよいし、ストロボマイコン３１０−２がブザー装置（不図示）によりブザーを鳴らしてもよい。また、レシーバーストロボ３００−２の発光状態を、カメラ本体１００よりセンダーストロボ３００−１を介して発光命令を受信した時点の発光状態に戻す（発光量を変更する又は発光をさせない）ようにしてもよい。また、レシーバーストロボ３００−２の充電が完了しても、後述するステップＳ１１１で警告表示が解除されるまで表示部３１３に充電完了の旨の表示をさせないようにしてもよい。また、モデリングランプ３６３の点灯状態を変える（点灯している場合は消灯し、消灯している場合は点灯する）ようにしてもよい。さらに図６（ｄ）に示す吹き出し表示６１６の表示を、これらに替えてもよいし、これらと組み合わせてもよい。
【０１１０】
また、ステップＳ１０７の警告表示の際、ストロボマイコン３１０−２がセンダーストロボ３００−１のストロボマイコン３１０（以下ストロボマイコン３１０−１という）に「方向ズレ許容範囲」外となったことを通信するようにしてもよい。この場合、ストロボマイコン３１０−１はその表示部３１３に図７（ｂ）に示す様に警告表示７０２を表示する。これにより、レシーバーストロボ３００−２の現在の方向情報が「方向ズレ許容範囲」外になった場合、アシスタントだけでなく撮影者であるユーザもすぐに気づくことが出来るようになる。また、センダーストロボ３００−１において警告表示７０２が表示された後、後述するようにステップＳ１１１で警告表示が解除された場合、ストロボマイコン３１０−２がストロボマイコン３１０−１に「方向ズレ許容範囲」内に戻ったことを通信する。
【０１１１】
尚、「方向ズレ許容範囲」外になった場合のセンダーストロボ３００−１における警告の方法は警告表示７０２を表示するという上記方法に限定されない。例えば、センダーストロボ３００−１の充電が完了しても、新たにステップＳ１０５で取得した方向情報が「方向ズレ許容範囲」内となるまで、センダーストロボ３００−１の表示部３１３に充電完了の旨の表示７０１をさせないようにしてもよい。また、ステップＳ１０７の警告表示の際、ストロボマイコン３１０−２がセンダーストロボ３００−１を介してカメラ本体１００に「方向ズレ許容範囲」外となったことを通信するようにしてもよい。この場合、警告表示はセンダーストロボ３００−１ではなく、カメラ本体１００において行われる。
【０１１２】
一方、ストロボマイコン３１０−２は、「方向ズレ許容範囲」内であると判断した場合（ステップＳ１０６でＹＥＳ）、ステップＳ１１０へ移行し、警告表示中であるか否かを判断する。ステップＳ１０７で開始した警告表示中であった場合はステップＳ１１１へ移行する。一方、警告表示中でなければステップＳ１０８へ移行する。
【０１１３】
ステップＳ１１１では、ストロボマイコン３１０−２は警告表示の解除を行う。また、上述の通り、センダーストロボ３００−１でも警告を行っている場合はストロボマイコン３１０−２からストロボマイコン３１０−１に「方向ズレ許容範囲」内に戻ったことを通信する。この場合、ストロボマイコン３１０−１はセンダーストロボ３００−１の警告表示を図７（ａ）に示すように解除する。
【０１１４】
ステップＳ１０８では所定時間経過するまでの間にストロボマイコン３１０−２は記憶ボタンが再度押下されたかの判断を行う。再度押下された場合はステップＳ１０３へ戻り、ストロボマイコン３１０−２は再び第１の方向情報の取得・記憶からの処理を行う。一方、再度押下されなかった場合はステップＳ１０９へ移行する。
【０１１５】
ステップＳ１０９ではストロボマイコン３１０−２は入力部３１２の電源スイッチがＯＦＦされたかどうかの判断を行う。電源スイッチがＯＦＦされない場合はステップＳ１０５へ戻り、現在の方向情報の取得からの処理を行う。一方、電源スイッチがＯＰＦされた場合は本処理を終了する。
【０１１６】
以上、本実施例によれば、レシーバーストロボ３００−２において記憶ボタンが押下された時点で第１の方向情報を記憶し、その後、その記憶した第１の方向情報と現在の方向情報とを同時表示すると共にその差異を表示する。これによりアシスタントは、レシーバーストロボ３００−２をユーザが所望する姿勢で保持することが容易になる。尚、上記同時表示と差異の表示の一方のみを行うようにしてもよい。
【０１１７】
また、現在の方向情報が「方向ズレ許容範囲」外となった場合、その旨の警告表示がセンダーストロボ３００−１においても行われるため、撮影者であるユーザは安心して撮影を実施することが出来る。
【０１１８】
本実施例では、センダーストロボ３００−１とレシーバーストロボ３００−２とが無線通信を行っている状態でカメラ本体１００の制御により多灯撮影を行う際のレシーバーストロボ３００−２の姿勢を保持させる例を挙げた。しかしながら、カメラ本体１００がカメラ本体１００と離れた位置にあるレシーバーストロボ３００−２と何らかの方法で通信が可能であればかかる例に限定されない。例えば、カメラ本体１００とレシーバーストロボをオフカメラシューコードで繋いだストロボ撮影においても応用することが出来る。オフカメラシューコードは図１の端子１３０のカメラ側端子とストロボ側端子の間に装着することで両者の通信を可能とする機材である。
【０１１９】
（実施例２）
実施例１では、まず、ステップＳ１０１においてセンダーストロボ３００−１及びレシーバーストロボ３００−２への発光指示を伴う試し撮りを何回か繰り返すことでユーザが所望するレシーバーストロボ３００−２の姿勢を調整する。この調整が終了した後、ユーザ（又はアシスタント）がステップＳ１０２で記憶ボタンを押下することでその姿勢における方向情報を第１の方向情報として記憶した。これに対し、実施例２では、所望するレシーバーストロボ３００−２の姿勢を決定するため、ユーザは複数の方向情報の中から第１の方向情報を選択することを可能とする。
【０１２０】
カメラ本体１００や照明装置３００の構成については実施例１と同じであるため、同一の構成要素には同一の符号を付し重複した説明を省略する。
【０１２１】
以下、図８のフローチャートを参照して、本実施例に係る、多灯撮影時におけるレシーバーストロボ３００−２の発光照射方向の表示処理のフローチャートである。特に、レシーバーストロボ３００−２における第１の方向情報の設定処理について説明する。
【０１２２】
ここで、実施例２では実施例１と同様、カメラ本体１００と、センダーストロボ３００−１と、レシーバーストロボ３００−２を使用した多灯撮影の際に実行される。
【０１２３】
また、本実施例は、実施例１と異なり、アシスタントがいない場合や、撮影者であるユーザ自身でレシーバーストロボ３００−２の姿勢を変えながら試し撮りを行いたい場合を想定している。
【０１２４】
まず、ユーザによりカメラ本体１００の入力部１１２の電源スイッチがＯＮされると（ステップＳ２０１でＹＥＳ）、カメラマイコン１０１は、自身が備えるＲＡＭやポート（各種端子）の初期化を行う。また、入力部１１２に含まれる設定ボタンの操作状態や予め設定された入力情報に応じて、シャッタースピードの決め方や、絞りの決め方等様々な撮影モードの設定を行う。
【０１２５】
その後、ユーザにより、カメラ本体１００、センダーストロボ３００−１、及びレシーバーストロボ３００−２のセッティングが行われると、ステップＳ２０２に進む。ここで、ユーザが行う上記セッティングには、カメラ本体１００、センダーストロボ３００−１の位置の決定や、レシーバーストロボ３００−２とセンダーストロボ３００−１の無線接続の実施が含まれる。
【０１２６】
ステップＳ２０２では、ストロボマイコン３１０−２は、ユーザによるレシーバーストロボ３００−２の入力部３１２の操作で連続記憶モードに設定されたか判断する。連続記憶モードに設定されたと判断した場合、ステップＳ２０３へ移行する。このときストロボマイコン３１０−２は連続記憶モードにおいて記憶する方向情報番号を初期化し１とする。
【０１２７】
ステップＳ２０３では、ストロボマイコン３１０−２は、所定時間が経過するまでの間にリモートレリーズが実行されたかどうかの判断を行う。この判断の結果、リモートレリーズが実行された場合（ステップＳ２０３でＹＥＳ）、ステップＳ２０４へ進み、リモートレリーズが実行されなかった場合（ステップＳ２０３でＮＯ）、ステップＳ２０５に進む。尚、リモートレリーズとは、所定のユーザ操作に応じてレシーバーストロボ３００−２がセンダーストロボ３００−１を介してカメラ本体１００に撮影指示を行ってカメラ本体１００に撮影を実行させる機能、および動作を指す。ストロボマイコン３１０−２は、上記撮影指示を行った後、カメラ本体１００からその撮影指示に応じてストロボマイコン３１０−２に対する発光指示があったとき、または、撮影を行った旨の通知があったとき、リモートレリーズが実行されたと判断する。
【０１２８】
ステップＳ２０４では、ストロボマイコン３１０−２はリモートレリーズが実行された時の方向情報を取得してその方向情報番号とともに記憶する。この記憶が行われた後、方向情報番号をインクリメントする。
【０１２９】
ステップＳ２０５では、ストロボマイコン３１０−２は連続記憶モードがユーザの操作により終了したか否かの判断を行う。終了していないと判断した場合、ステップＳ２０３へ戻る。すなわち、ユーザがレシーバーストロボ３００−２の姿勢を変える毎にリモートレリーズの操作を行うことで、ステップＳ２０３〜Ｓ２０５の動作が繰り返され、方向情報が複数、レシーバーストロボ３００−２に順番に記憶されていく。
【０１３０】
一方、ユーザの操作により連続記憶モードが終了したとストロボマイコン３１０−２が判断した場合は（ステップＳ２０５でＹＥＳ）、ステップＳ２０６へ移行する。
【０１３１】
ステップＳ２０６では、ストロボマイコン３１０−２は連続記憶モードで記憶した方向情報番号の一覧をユーザ選択可能に表示する。一覧の表示については連続記憶モードで記憶した複数の方向情報を特定する情報が含まれていればよく、本実施例のように、方向情報番号のみを表示してもよいし、方向情報番号とともに記憶された方向情報を並べて表示してもよい。ここで、ユーザはリモートレリーズが実行された際にカメラ本体１００により撮影された画像をカメラ本体１００やその他の機材に表示し、どの方向情報番号の方向情報に基づき、ステップＳ１０４で方向ズレ許容範囲を決定するかを決める。
【０１３２】
その後、ストロボマイコン３１０−２は、レシーバーストロボ３００−２の入力部３１２の操作で、ステップＳ２０６の一覧表示された方向情報番号の一つがユーザ選択されたと判断した場合（ステップＳ２０７でＹＥＳ）、ステップＳ２０８に進む。
【０１３３】
ステップＳ２０８では、ストロボマイコン３１０−２はステップＳ２０７でユーザ選択された方向情報番号とともに記憶された方向情報を呼び出し、図３のステップＳ１０４に進む。ステップＳ１０４でストロボマイコン３１０−２は、その読み出された方向情報を第１の方向情報に設定し、その第１の方向情報に基づき、方向ズレ許容範囲を決定する。
【０１３４】
本実施例のステップＳ１０４以降の処理は、実施例１と同一であるため説明を省略する。
【０１３５】
以上、本実施例によれば、リモートレリーズが実行される毎に方向情報を順次記憶する。これにより、従来のように、ユーザは、試し撮りを行う毎に画像を確認するという動作を繰り返すことなく、レシーバーストロボ３００−２の姿勢を調整することが可能となる。また、ユーザはレシーバーストロボ３００−２の所望の方向情報を自分で覚えておく、といったことをしなくてもリモートレリーズによりカメラ本体１００で撮影された画像の順番と方向情報番号から所望の方向情報を容易に決定することが可能となる。
【０１３６】
本実施例ではリモートレリーズ時のレシーバーストロボ３００−２の方向情報を記憶したが、カメラ本体１００でのレリーズ指示時のレシーバーストロボ３００−２の方向情報を記憶してもよい。すなわち、レシーバーストロボ３００−２は、カメラ本体１００でのレリーズ指示に従いセンダーストロボ３００−１から出された発光指示を受信した際に、その方向情報を記憶するようにしてもよい。アシスタントによりレシーバーストロボ３００−２が保持されており、ユーザ指示によりアシスタントが適切にレシーバーストロボ３００−２の姿勢を変えることができる場合には有効である。
【０１３７】
（実施例３）
実施例３では、レシーバーストロボ３００−２が記憶した第１の方向情報を別の照明装置に転送し、その照明装置をレシーバーストロボとして用いてカメラ本体１００が多灯撮影を行う。これにより、ユーザは別の照明装置に第１の方向情報を記憶させる動作を行うことなくスムースにセッティングをすることが可能になる。すなわち、実施例３では実施例１，２と同様、カメラ本体１００と、センダーストロボ３００−１と、レシーバーストロボ３００−２を使用する他、別の照明装置（以下、レシーバーストロボ４００という）を使用する。尚、レシーバーストロボ４００のハードウェア構成は照明装置３００と基本同一であるため、同一の構成には同様の符号を付し重複した説明は省略する。但し、レシーバーストロボ４００と照明装置３００は、以下後述するように第１の方向情報、機種設定情報（配光情報、発光量情報、及び機種情報）が異なっていてもよい。以下、レシーバーストロボ４００において、照明装置３００のストロボマイコン３１０に対応するものを、ストロボマイコン４１０と呼ぶ。
【０１３８】
また、実施例３では自機の機種を表す機種情報をストロボマイコン３１０，４１０が夫々記憶しているものとする。機種情報についての詳細は図１０を用いて後述する。
【０１３９】
以下、図９のフローチャートを参照して、本実施例に係る多灯撮影時におけるレシーバーストロボ４００の発光照射方向の表示処理のフローチャートである。特に、多灯撮影を行う際のレシーバーストロボ３００−２からレシーバーストロボ４００への交換処理について説明する。
【０１４０】
尚、本処理は、レシーバーストロボ３００−２に関しては、実施例１又は実施例２の処理を経て、第１の方向情報を予め記憶した状態で、多灯撮影に用いられた後に開始する。また、ストロボマイコン４１０は、予めレシーバーストロボ４００の情報として配光情報、発光量情報、及び機種情報を記憶した状態で、レシーバーストロボ３００−２、センダーストロボ３００−１と無線接続された後に、本処理は開始する。
【０１４１】
まずステップＳ３０１では、ストロボマイコン３１０−２は、ユーザ（又はアシスタント）がレシーバーストロボ３００−２の入力部３１２を操作し、第１の方向情報の転送の指示をしたかどうかの判断を行う。かかる指示があった場合はステップＳ３０２へ移行する。
【０１４２】
ステップＳ３０２では、ストロボマイコン３１０−２は、センダーストロボ３００−１に第１の方向情報、配光情報、発光量情報、及び機種情報を送信する。ここで、配光情報は、方向ズレ許容範囲を決定する際に用いられたレシーバーストロボ３００−２の発光照射方向の設定や配光角情報を示す。発光量情報は、上記多灯撮影の際、レシーバーストロボ３００−２においてマニュアル発光が行われていた場合はそのマニュアル発光量、レシーバーストロボ３００−２において自動調光モードで発光が行われていた場合は３５ｍｍ配光での光量などを示す。また、機種情報はレシーバーストロボ３００−２の機種そのものの名前やクラスを示す情報などである。図１０に例を示すが詳細説明は後で行う。
【０１４３】
ストロボマイコン３１０−１は、レシーバーストロボ３００−２から第１の方向情報、配光情報、発光量情報、機種情報を受信すると、これらの情報をレシーバーストロボ４００に送信する。尚、本実施例では、レシーバーストロボ３００−２は、センダーストロボ３００−１を介してレシーバーストロボ４００に第１の方向情報を送信する通信形式（第３の通信部）をとるがこれに限定されない。例えば、レシーバーストロボ３００−２，４００の間で直接通信を行ってもよい。また、センダーストロボ３００−１とレシーバーストロボ４００の間の通信、又はレシーバーストロボ３００−２，４００の間の通信の方法も特に限定されない。具体的には、無線接続で通信をおこなってもよいし、有線接続で通信を行なってもよい。
【０１４４】
ステップＳ３０３では、ストロボマイコン４１０は、レシーバーストロボ３００−２の第１の方向情報、配光情報、発光量情報、機種情報をセンダーストロボ３００−１から受信すると、記憶している自機の機種情報と受信した機種情報を比較する。機種情報が一致していない（異なる）場合はステップＳ３０４へ移行し、機種情報が一致している場合はステップＳ３０５へ移行する。
【０１４５】
ステップＳ３０４では、ストロボマイコン４１０は、自機とレシーバーストロボ３００−２の機種情報の差（機種間差）を埋める演算を実施する。機種間差を埋める演算については後ほど説明する。
【０１４６】
ステップＳ３０５では、ストロボマイコン４１０は、ステップＳ３０２で受信した第１の方向情報をそのまま、方向ズレ許容範囲を決定するための第１の方向情報として上書きで記憶すると共に、予め記憶しているレシーバーストロボ４００の情報を上書きする。
【０１４７】
具体的には、ステップＳ３０３でレシーバーストロボ３００−２，４００の機種情報が一致した場合は、予め記憶しているレシーバーストロボ４００の情報は、受信した配光情報、発光量情報で上書きされる。一方、ステップＳ３０３でレシーバーストロボ３００−２，４００の機種情報が異なった場合、予め記憶しているレシーバーストロボ４００の情報は、ステップＳ３０４で演算した結果及びステップＳ３０２で受信した情報を元に上書きされる。
【０１４８】
図１０は、ステップＳ３０４〜Ｓ３０５までの流れを説明するための図である。
【０１４９】
まず、レシーバーストロボ３００−２，４００の機種情報が一致している場合の例について説明を行う。
【０１５０】
図１０（ａ―１）の表では、その左側にストロボマイコン４１０が予めレシーバーストロボ４００の情報として記憶している情報を示し、その右側にステップＳ３０２でセンダーストロボ３００−１経由で受信したレシーバーストロボ３００−２の情報を示す。
【０１５１】
まず、図１０（ａ―１）の表の各項目について説明する。
【０１５２】
項目「機種名」は、レシーバーストロボ３００−２，４００の夫々機種の名前、項目「クラス」は、レシーバーストロボ３００−２，４００の夫々の系列を示す。例えば、図１０（ａ―１）には項目「機種名」の情報として「ストロボ１」が示されているが、これと同クラスの「ストロボ１Ｎ」という機種名の製品があってもよい。
【０１５３】
上記機種情報は、項目「機種名」及び項目「クラス」の情報により構成される。
【０１５４】
項目「配光」は、方向ズレ許容範囲を決定する際に用いられた配光の値を示す。尚、センダーストロボ３００−１は、多灯撮影の際に無線接続する全てのレシーバーストロボの配光の値を３５ｍｍに自動的に設定するが、ユーザがその自動的に設定された配光の値を変更することも可能である。よって、項目「配光」の情報も予め記憶しているレシーバーストロボ４００の情報に含まれている。
【０１５５】
上記配光情報は、項目「配光」の情報により構成される。
【０１５６】
項目「発光量」は、記憶している配光の値に設定された場合の最大発光量のガイドナンバーを示す。
【０１５７】
項目「モード」は、発光モード、具体的には、自動で調光を行う自動調光モードか、決められた発光量で発光するマニュアルモードかを示す。ここで、項目「発光量」で示す最大発光量がレシーバーストロボ３００−２の方がレシーバーストロボ４００により大きい場合を考える。この場合、受信したレシーバーストロボ３００−２の情報のうち項目「モード」が自動調光モードであれば、そのまま受信した機種情報で記憶している機種情報を上書きしてよい。レシーバーストロボ４００において撮影時に発光量が自動で調整されるからである。一方、受信したレシーバーストロボ３００−２の項目「モード」がマニュアル発光モードである場合は、そのまま受信した機種情報で記憶している機種情報を上書きすると、撮影時の発光量が不足してしまう。そのため、この場合は、ステップＳ３０４の機種間差を埋めるべく、上記最大発光量の差を加味した値にマニュアル発光モードの段数を変換する演算が必要になる。尚、レシーバーストロボ３００−２が自動調光モードであっても、レシーバーストロボ３００−２の発光量が上記多灯撮影の際に最大発光量近傍であると、レシーバーストロボ４００において撮影時に発光量を調整しても発光量が足りなくなる可能性がある。このような可能性がある場合は、後述するようにステップＳ３０６で方向ズレ許容範囲を表示する際、表示部３１３に「光量が足りなくなる可能性があります。」等の注意を表示すると良い。
【０１５８】
上記発光量情報は、項目「発光量」及び項目「モード」により構成される。
【０１５９】
項目「光軸」は光軸中心の回転角度の値を示し、項目「上下」は上下方向の回転角度を示す。また、項目「方位」は左右方向の回転角度を示し、項目「高さ」は発光部の高さを示す。
【０１６０】
上記第１の方向情報は、項目「光軸」、「上下」、「方位」、「高さ」により構成される。
【０１６１】
このように図１０（ａ―１）に示す例では、受信した情報と記憶している情報とを比較すると、項目「機種名」、「クラス」に示す情報が同じである。この場合、図９のステップＳ３０３でストロボマイコン４１０は機種情報が一致していると判断してステップＳ３０５へ移行する。ステップＳ３０５では、ストロボマイコン４１０は受信した発光モード及び第１の方向情報を予め記憶されているレシーバーストロボ４００の情報に上書きする。図１０（ａ―２）の左側が上書きされた後のレシーバーストロボ４００の情報となる。
【０１６２】
次に、レシーバーストロボ３００−２，４００の機種情報が異なる場合の例について説明を行う。
【０１６３】
図１０（ｂ−１）の表では、その左側にストロボマイコン４１０が予めレシーバーストロボ４００の情報として記憶している情報を示し、その右側にセンダーストロボ３００−１経由で受信したレシーバーストロボ３００−２の情報を示す。この例ではレシーバーストロボ４００とレシーバーストロボ３００−２は、機種情報及び発光量情報が異なっている。
【０１６４】
具体的には機種情報のうち、図１０（ｂ−１）の項目「クラス」に示す様に、レシーバーストロボ３００−２は「上位機種」であるのに対し、レシーバーストロボ４００は「中位機種」である。ストロボマイコン４１０は、この機種情報の差異により、レシーバーストロボ４００の発光量の方がレシーバーストロボ３００−２に比べ約１段光量が低いと判断する。また、この例では項目「モード」に示すレシーバーストロボ３００−２の発光モードが「マニュアル  １／４」である。ここで、「マニュアル  １／４」とは、マニュアル発光モードにおける設定光量が１／４、すなわち、最大発光量の１／４の光量で発光させることを意味する。
【０１６５】
このように図１０（ｂ−１）に示す例では、受信した情報と記憶している情報とを比較すると、項目「機種名」、「クラス」に示す情報が異なる。よって、ステップＳ３０３でストロボマイコン４１０は機種情報が異なると判断してステップＳ３０４へ移行する。ステップＳ３０４では、ストロボマイコン４１０は機種間差を埋める演算を実施する。ここでは受信した情報の項目「モード」が「マニュアル１／４」であるため、機種間差、すなわち発光量の差１段を埋める演算をこの「マニュアル１／４」という情報に対して実施する。すなわち、受信した「マニュアル１／４」を１段高い「マニュアル１／２」に変更する演算を行う。
【０１６６】
ここで、受信した情報の項目「モード」が「マニュアル１／１」であった場合、項目「モード」に示す設定光量は最大光量であり、これ以上高い設定光量に変更することは出来ない。このように、機種間差を埋める演算を行うことが出来ない場合、ストロボマイコン４１０は表示部３１３に警告表示を行う。例えば、警告表示として、「発光量が足りません。」等の表示を行う。
【０１６７】
その後図９のステップＳ３０５で、ストロボマイコン４１０は図１０（ｂ−１）の右側に示す受信した情報と上記演算した結果を元に、図１０（ｂ−１）の左側に示す記憶している情報の上書きを行う。図１０（ｂ−２）の左側の上書き後の記憶している情報に示すように、第１の方向情報の他、設定光量がステップＳ３０４で演算した結果が反映された項目「モード」の情報が上書きされる。
【０１６８】
図９に戻り、ステップＳ３０６ではストロボマイコン４１０はステップＳ３０５の上書き後の記憶している情報に含まれる発光照射方向に応じてレシーバーストロボ４００の方向ズレ許容範囲を決定する。その後、ストロボマイコン４１０は、この決定された方向ズレ許容範囲を示す画像を表示部３１３に表示し、図３のステップＳ１０５に進む。ここでは実施例１同様、レシーバーストロボ４００の配光角の特性や姿勢に応じて、ストロボマイコン４１０は図５（ａ）〜（ｃ）に示す「方向ズレ許容範囲」のテーブルのうちの一つを選択し、そのテーブルに基づき方向ズレ許容範囲を決定する。
【０１６９】
本実施例のステップＳ１０５以降の処理は、実施例１と同一であるため説明を省略する。
【０１７０】
以上、本実施例によれば、第１の方向情報を記憶するレシーバーストロボ３００−２から、レシーバーストロボ４００に交換して多灯撮影を継続する場合、ユーザはレシーバーストロボ３００−２に対して方向情報の転送指示を行う。この転送指示に応じて、レシーバーストロボ３００−２はその第１の方向情報、配光情報、発光量情報、及び機種情報をレシーバーストロボ４００に転送する。これにより、交換後のレシーバーストロボ４００においてスムースなセッティングを実現することが可能になる。
【０１７１】
また、以上述べた実施例１〜３では、方向情報を姿勢検出回路３６０、高さセンサ３６１、方位検出部３６２からの出力に基づき算出した例を挙げたが、これに限定されない。例えば、ＧＰＳを利用して方向情報を算出するようにしてもよい。
【０１７２】
また、以上述べた実施例１〜３では、カメラ本体に照明装置３００がクリップオンされた場合について述べたがこれに限定されない。例えば、発光部を備えず第１の通信部と第２の通信部を備えたワイヤレストランスミッターやコマンダーなどと呼ばれる通信装置がクリップオンされてもよい。
【０１７３】
以上、本発明の好ましい実施形態について説明したが、本発明はこれらの実施形態に限定されず、その要旨の範囲内で種々の変形及び変更が可能である。
【０１７４】
［その他の実施例］
本発明の目的は、前述した実施例の機能を実現するソフトウェアのプログラムコードを記録した記憶媒体を、装置に供給することによっても、達成されることは言うまでもない。このとき、供給された装置の制御部を含むコンピュータ（またはＣＰＵやＭＰＵ）は、記憶媒体に格納されたプログラムコードを読み出し実行する。
【０１７５】
この場合、記憶媒体から読み出されたプログラムコード自体が前述した実施例の機能を実現することになり、プログラムコード自体及びそのプログラムコードを記憶した記憶媒体は本発明を構成することになる。
【０１７６】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【０１７７】
また、上述のプログラムコードの指示に基づき、装置上で稼動しているＯＳ（基本システムやオペレーティングシステム）などが処理の一部又は全部を行い、その処理によって前述した実施例の機能が実現される場合も含まれることは言うまでもない。
【０１７８】
さらに、記憶媒体から読み出されたプログラムコードが、装置に挿入された機能拡張ボードやコンピュータに接続された機能拡張ユニットに備わるメモリに書込まれ、前述した実施例の機能が実現される場合も含まれることは言うまでもない。このとき、そのプログラムコードの指示に基づき、その機能拡張ボードや機能拡張ユニットに備わるＣＰＵ等が実際の処理の一部又は全部を行う。
【符号の説明】
【０１７９】
１００  カメラ本体
３００  照明装置
３００−１  センダーストロボ
３００−２，４００  レシーバーストロボ
３１０，３１０−１，３１０−２，４１０  ストロボマイコン
３１３  表示部
３６０  姿勢検出回路
３６１  高さセンサ
３６２  方位検出部
３６３  モデリングランプ
３７０  無線ユニット
【図１】
2020181019.tif 000003
【図２】
2020181019.tif 000004
【図３】
2020181019.tif 000005
【図４】
2020181019.tif 000006
【図５】
2020181019.tif 000007
【図６】
2020181019.tif 000008
【図７】
2020181019.tif 000009
【図８】
2020181019.tif 000010
【図９】
2020181019.tif 000011
【図１０】
2020181019.tif 000012